(57)【要約】  動物、胚及び配偶子に相関される特有の遺伝的形質識別子をデータベースが保持する、インターネットに基づく動物、配偶子及び胚の市場を提供する。ユーザがかけ合わせ用のストックを識別すること、詐欺の低減等のためにストックを証明すること、遺失又は発見したストックを報告すること、定価販売又は競売のいずれかによってストックを取引すること、及びストックの輸送を促進することの実現を目的として、サーバ上に位置した集中データベースへ遠隔のユーザが１つ又は複数の遺伝的形質識別子に関する問合せを送ることを可能にする方法、装置、サーバ及びクライアントを提供する。動物は識別されることが可能であり、クローン胚は用意され、かつクローン胚を安定させる専用の輸送用コンテナ等で要求者へ輸送されることが可能である。
2009518712.tif 000002
【特許請求の範囲】
【請求項１】
サーバにおいて少なくとも１つの遠隔のユーザから通信ネットワークを介してアクセス要求メッセージを受信することと、
上記サーバにより上記遠隔のユーザへ上記通信ネットワークを介してアクセス有効化メッセージを送信することとを含み、上記アクセス有効化メッセージは、上記遠隔のユーザが上記サーバ上に位置したデータベースへ１つ又は複数の遺伝的形質識別子に関する問合せを送ることを許可し、上記データベース内のデータは少なくとも１つの登録ＩＤに対応する少なくとも１つの遺伝的形質識別子及び少なくとも１つの非遺伝的形質識別子を含み、各登録ＩＤは１体の動物、胚又は１つ又は複数の同一配偶子に対応し、
上記データベースにおいて、１つ又は複数の登録ＩＤを、上記少なくとも１つ又は複数の対応する遺伝的形質識別子によって検索することと、
上記サーバ上で上記アクセスされたデータベースからのレポートをコンパイルすることとを含み、上記レポートは、少なくとも１つのレポート結果によって、上記１つ又は複数の登録ＩＤを、対応する１つ又は複数の遺伝的形質識別子及び１つ又は複数の非遺伝的形質識別子と関連付け、
上記サーバから上記通信ネットワークを介して上記遠隔のユーザへ上記コンパイルされたレポートを送信することを含む方法。
【請求項２】
上記遺伝的形質識別子は、核酸配列、核酸変異、核酸多型、遺伝子増幅、遺伝子欠失、対立遺伝子、又は核酸もしくはポリペプチドの発現レベルに対応する請求項１記載の方法。
【請求項３】
上記遺伝的形質識別子は、品種タイプ、血統、疾病素質、身体的形態に対応する請求項１記載の方法。
【請求項４】
上記遺伝的形質識別子は、食品品質又は耐熱性に対応する請求項１記載の方法。
【請求項５】
上記動物又は胚はクローンである請求項１記載の方法。
【請求項６】
上記非遺伝的形質識別子は、動物、胚もしくは配偶子の記述データ、動物、胚もしくは配偶子の所有者に関連付けられるデータ、育種組織に関連付けられるデータ、動物、胚もしくは配偶子の登録所に関連付けられるデータ、又は金融データから成るグループのうちの１つ又は複数に由来する請求項１記載の方法。
【請求項７】
上記動物、胚もしくは配偶子に関連付けられる記述データは、ＤＮＡ  ＩＤ、出生日、性別、動物のタイプ、毛色、マイクロチップ番号、入れ墨番号、画像、証明書番号、地理的場所、利用可能なタグ、飼育場の場所、飼料配合、生産データ、国境通過回数、輸送データ、金融取引データ、ワクチン接種データ、医療記録データ、又は貯蔵データである請求項６記載の方法。
【請求項８】
上記動物の所有者に関連付けられるデータは、所有者名、所有者ＩＤ、所有者転送データ、所有者の住所、画像、又は所有者の証明書番号である請求項６記載の方法。
【請求項９】
上記金融データはクレジットもしくはデビットカードのデータ又は競売データである請求項６記載の方法。
【請求項１０】
上記競売データは価格、最低競売価格、入札の始値、最終高値、競売開始、競売終了時間、又は経過時間である請求項９記載の方法。
【請求項１１】
上記方法は、上記１つ又は複数の登録ＩＤの最高値入札者を決定するために買い手と売り手とが競売に従事できるようにすることをさらに含み、上記コンパイルされたレポートは購入データを含む請求項９記載の方法。
【請求項１２】
上記疾病素質は、多発性嚢胞腎、ホスホフルクトキナーゼ欠乏症、ピルビン酸キナーゼ欠乏症、フォン・ヴィレブランド病、進行性網膜萎縮症、アルファ−マンノシドーシス、ベータ−マンノシドーシス、ウシリンパ球接着不全症、ウリジン一リン酸合成酵素欠乏症、低身長症、第ＩＸ因子プロトポルフィリン症、ウィーバー症候群、高カリウム性周期性四肢麻痺、又は致死性白子馬症候群に対する素質である請求項３記載の方法。
【請求項１３】
上記問合せは登録ＩＤ記録からの１つ又は複数の遺伝的形質識別子を使用する請求項１記載の方法。
【請求項１４】
上記ユーザは上記動物、胚又は配偶子の所有者である請求項１記載の方法。
【請求項１５】
上記問合せは生体分析装置からのデータに基づく請求項１記載の方法。
【請求項１６】
上記コンパイルされたレポートはフィルタリングされる請求項１記載の方法。
【請求項１７】
１つ又は複数のクライアントと、上記１つ又は複数のクライアントと通信ネットワークを介して通信するサーバとを備えた通信ネットワークであって、
上記サーバは、
１つのクライアントから上記通信ネットワークを介してアクセス要求メッセージを受信し、上記クライアントへ上記通信ネットワークを介してアクセス有効化メッセージを送信するように構成され、上記アクセス有効化メッセージは、上記クライアントが上記サーバ上に存在するデータベースへ１つ又は複数の遺伝的形質識別子に関する問合せを送ることを許可し、上記データベース内のデータは少なくとも１つの登録ＩＤに対応する少なくとも１つの遺伝的形質識別子を含み、各登録ＩＤは１体の動物、胚又は配偶子に対応し、
上記１つ又は複数のクライアントからの１つ又は複数の問合せの受信に応答して、上記データベースに、１つ又は複数の登録ＩＤについて、少なくとも１つの対応する遺伝的形質識別子によって問い合わせ、上記データベースからのレポートをコンパイルするように構成され、上記レポートは、少なくとも１つのレポート結果によって、上記１つ又は複数の登録ＩＤを、対応する１つ又は複数の遺伝的形質識別子と関連付け、
上記ネットワークを介して上記クライアントへ上記コンパイルされたレポートを送信するように構成される通信ネットワーク。
【請求項１８】
上記サーバの構成はさらに、１つ又は複数の登録ＩＤ間で遺伝的形質識別子を比較するための構成を備える請求項１７記載の通信ネットワーク。
【請求項１９】
上記比較は血統を確定するために実行される請求項１８記載の通信ネットワーク。
【請求項２０】
少なくとも１つのクライアントはさらに出力装置を備える請求項１７記載の通信ネットワーク。
【請求項２１】
少なくとも１つのクライアントは生体分析装置からデータを受け取るように構成される請求項１７記載の通信ネットワーク。
【請求項２２】
上記コンパイルされたレポートはフィルタリングされる請求項１７記載の通信ネットワーク。
【請求項２３】
１つ又は複数のクライアントからネットワークを介して１つ又は複数の問合せを受信するように適合化されたネットワークインターフェースと、少なくとも１つの登録ＩＤに対応する少なくとも１つの遺伝的形質識別子及び１つの非遺伝的形質識別子を含むデータベースを備えるデータ記憶装置と、上記ネットワークインターフェース及び上記データ記憶装置と通信するプロセッサとを備えたサーバであって、
各登録ＩＤは１体の動物、胚又は配偶子に対応し、
上記プロセッサは、１つ又は複数の遺伝的形質識別子に関する問合せを受信し、上記データベースに、１つ又は複数の登録ＩＤについて、少なくとも１つ又は複数の対応する遺伝的形質識別子によって問い合わせ、上記アクセスされたデータベースからのレポートをコンパイルするように適合化され、上記レポートは、少なくとも１つのレポート結果によって、上記１つ又は複数の登録ＩＤを、対応する１つ又は複数の遺伝的形質識別子と関連付け、上記プロセッサはさらに、上記コンパイルされたレポートを上記ネットワークインターフェースを介して上記ネットワークを介して遠隔のユーザへ送信するように適合化されたサーバ。
【請求項２４】
通信ネットワークを介してサーバと通信するように適合化されたネットワーク通信インターフェースと、上記ネットワークインターフェースと通信するプロセッサとを備えたクライアントであって、
上記サーバはデータ記憶装置を備え、上記データ記憶装置は少なくとも１つの登録ＩＤに対応する少なくとも１つの遺伝的形質識別子及び１つの非遺伝的形質識別子を含むデータベースを備え、各登録ＩＤは１体の動物、胚又は配偶子に対応し、
上記プロセッサは、上記ネットワークを介して上記データベースに問い合わせるように構成されるクライアント。
【請求項２５】
生体分析装置とのインターフェースをさらに備える請求項２４記載のクライアント。
【請求項２６】
出力装置をさらに備える請求項２４記載のクライアント。
【発明の詳細な説明】
【技術分野】
【０００１】
指定された遺伝子プロファイルを有する動物のより便利な特定、購入及び取引方法が必要とされている。本発明は、これらの必要性並びに他の必要性を満たす。
【背景技術】
【０００２】
動物のブリーダーは、動物の買い手に、販売される動物が表示通りのものであることを口頭で保証すると共に、動物登録機関が発行した血統書を提供する。血統書は、典型的には「系図」情報に基づくものであり、ＤＮＡ検査に基づくものではない。固有の血統の動物は他の動物より高い経済的価値を有するので、ブリーダーによる動物の販売は常に詐欺という問題を伴う。
【発明の開示】
【発明が解決しようとする課題】
【０００３】
農業用動物種の場合、固有の基準に適合する動物を特定するための簡単かつ集中化されたＤＮＡ固有の方法は現時点で存在せず、よって、特定された動物を繁殖目的で購入又はリースする方法、又はこれらの動物を由来とする胚又は配偶子を注文する方法はない。動物の所有者の中には印刷されたカタログを有する者もいて、その他には、所有する動物のプロファイルをウェブサイトに公開する者もいるが、いかなるＤＮＡ識別情報又は証明書が添付されることもなく、ＤＮＡに基づく疾病スクリーニングが行われることも、固有の特性（trait）又は証明書に対するいかなる種類の検索機能が提供されることもない。さらに、個々のブリーダーは、それぞれ単独の分散した場所に存在する傾向にあるので、顧客として見込まれる者が、自らの地域内でその基準を満たす動物を特定する容易な方法は存在しない。現行のアプローチの下では、顧客として見込まれる者は、理想のレベルには満たない遺伝的形質を有する地元の動物を選択するか、又は、その基準を満たすものの他の動物ほど都合よく特定されることのない遺伝的形質を有する動物を選択するかのいずれかである傾向があり、当該顧客はそのいずれであるかを認識していない。
【０００４】
こうした現行のシナリオの下では、顧客が、当該顧客の繁殖用ストックに導入したい遺伝的形質をどの動物が有しているかを決定すると、その動物の所有者は、所望される動物自体を繁殖目的で輸送するか、又は最近の方法では、所望される動物を由来とするクローン動物を作り、又はクローン動物を作るように手配し、次いでこのクローンを顧客宛に輸送する。いずれの場合も、生きた動物を輸送することになり、動物が牛、豚及び馬のように大型であれば輸送料金は高額になる。
【０００５】
従って、指定された遺伝子プロファイルを有する動物のより便利な特定、購入及び取引方法が必要とされている。本発明は、これらの必要性並びに他の必要性を満たす。
【課題を解決するための手段】
【０００６】
本明細書に提示する方法は、サーバにおいて少なくとも１つの遠隔のユーザから通信ネットワークを介してアクセス要求メッセージを受信し、上記サーバにより上記遠隔のユーザへ上記通信ネットワークを介してアクセス有効化メッセージを送信する。上記アクセス有効化メッセージは、上記遠隔のユーザが上記サーバ上に位置したデータベースへ１つ又は複数の遺伝的形質識別子（genetic identifier）に関する問合せを送ることを許可し、上記データベース内のデータは、少なくとも１つの登録ＩＤに対応する少なくとも１つの遺伝的形質識別子及び少なくとも１つの非遺伝的形質識別子を含み、各登録ＩＤは１体の動物、胚又は１つ又は複数の同一配偶子に対応する。本方法はさらに、上記データベースにおいて、１つ又は複数の登録ＩＤを、上記少なくとも１つ又は複数の対応する遺伝的形質識別子によって検索し、上記サーバにおいて、上記アクセスされたデータベースからのレポートをコンパイルする。上記レポートは、少なくとも１つのレポート結果によって、上記１つ又は複数の登録ＩＤを、対応する１つ又は複数の遺伝的形質識別子及び１つ又は複数の非遺伝的形質識別子と関連付ける。本方法はさらに、上記サーバから上記通信ネットワークを介して上記遠隔のユーザへ上記コンパイルされたレポートを送信する。
【０００７】
また、本明細書では１つ又は複数のクライアントと、上記１つ又は複数のクライアントと通信ネットワークを介して通信するサーバとを有する通信ネットワークも提示する。上記サーバは、クライアントから上記通信ネットワークを介してアクセス要求メッセージを受信し、上記クライアントへ上記通信ネットワークを介してアクセス有効化メッセージを送信するように構成される。上記アクセス有効化メッセージは、上記クライアントが上記サーバ上に存在するデータベースへ１つ又は複数の遺伝的形質識別子に関する問合せを送ることを許可し、上記データベース内のデータは、少なくとも１つの登録ＩＤに対応する少なくとも１つの遺伝的形質識別子を含み、各登録ＩＤは１体の動物、胚又は配偶子に対応する。上記サーバはさらに、上記１つ又は複数のクライアントからの１つ又は複数の問合せの受信に応答して、上記データベースに、１つ又は複数の登録ＩＤについて、少なくとも１つの対応する遺伝的形質識別子によって問い合わせ、上記データベースからのレポートをコンパイルするように構成される。上記レポートは、少なくとも１つのレポート結果によって、上記１つ又は複数の登録ＩＤを、対応する１つ又は複数の遺伝的形質識別子と関連付ける。上記サーバはさらに、上記ネットワークを介して上記クライアントへ上記コンパイルされたレポートを送信するように構成される。
【０００８】
また、本明細書では、１つ又は複数のクライアントからネットワークを介して１つ又は複数の問合せを受信するように適合化されたネットワークインターフェースと、少なくとも１つの登録ＩＤに対応する少なくとも１つの遺伝的形質識別子及び１つの非遺伝的形質識別子を含むデータベースを有するデータ記憶装置と、上記ネットワークインターフェース及び上記データ記憶装置と通信するプロセッサとを有するサーバも提示する。各登録ＩＤは１体の動物、胚又は配偶子に対応する。上記プロセッサは、１つ又は複数の遺伝的形質識別子に関する問合せを受信し、上記データベースに、１つ又は複数の登録ＩＤについて、少なくとも１つ又は複数の対応する遺伝的形質識別子によって問い合わせ、上記アクセスされたデータベースからのレポートをコンパイルするように適合化される。上記レポートは、少なくとも１つのレポート結果によって、上記１つ又は複数の登録ＩＤを対応する１つ又は複数の遺伝的形質識別子と関連付ける。上記プロセッサはさらに、上記コンパイルされたレポートを上記ネットワークインターフェースを介して上記ネットワークを介して遠隔のユーザへ送信するように適合化される。
【０００９】
また、本明細書では、通信ネットワークを介してサーバと通信するように適合化されたネットワーク通信インターフェースと、上記ネットワークインターフェースと通信するプロセッサとを有するクライアントも提示する。上記サーバはデータ記憶装置を有し、上記データ記憶装置は少なくとも１つの登録ＩＤに対応する少なくとも１つの遺伝的形質識別子及び１つの非遺伝的形質識別子を含むデータベースを有し、各登録ＩＤは１体の動物、胚又は配偶子に対応する。上記プロセッサは、上記ネットワークを介して上記データベースに問い合わせるように構成される。
【発明を実施するための最良の形態】
【００１０】
添付の図面における各図において、本明細書で教示している本発明の様々な実施形態について、限定としてではなく例示として示している。
【００１１】
本発明によれば、特有の特性を備えた動物、胚及び配偶子のためのインターネットに基づく市場が提供される。この動物、胚及び配偶子は、ＤＮＡ検査により身元及び血統を証明することにより証明を受けることが可能であり、また、所定の遺伝病に関してスクリーニングされることも可能である。ある実施形態では、本市場はＤＮＡ分析装置からインターネットへの通信ネットワークを介して動作可能にされ、これにより、ユーザはＤＮＡ分析結果をオンラインで受信することができる。本市場は、任意の種を仮想的に取引する動物ブリーダーがＤＮＡ証明書をデータベースに格納する方法を提供し、次いで、このデータベースは、体外受精（ＩＶＦ）又はクローニングによって作ることが可能な、ＤＮＡについて証明を受けた動物、配偶子（精子又は卵子）又は胚を購入しようとしている人々によって検索されることが可能である。別の実施形態では、市場メーカーがＤＮＡ証明検査サービスを提供することができる。
【００１２】
データベースを介してユーザが動物を特定すると、ある実施形態では、ユーザはそのＤＮＡ識別情報及び他の証明書と、特性のリストと、動物の（１つ又は複数の）画像と、さらに上記動物のブリーダー又は所有者への連絡用情報とを見ることができる。動物が販売されると、ＤＮＡ分析を発注したユーザは、当該動物の（１つ又は複数の）ＤＮＡ証明書のコピーを買い手へ転送することができる。
【００１３】
ブリーダーはデータベースを検索して、当該ブリーダーの（１匹又は複数の）動物に遺伝的に適した交配相手となるであろう動物を識別することができる。交配相手として可能性のあるものが識別されると、識別された交配相手のＤＮＡに対してブリーダーの動物のＤＮＡを比較することができる。この比較は、ブリーダーの動物と交配相手として見込まれている動物との関係がどの程度近接しているかを示すデータをブリーダーに提供する。この情報は、ブリーダーが遺伝的に可能な限り多様な子孫を作り出す手助けをし、よって遺伝的近親交配を低減させる。
【００１４】
番号であるか又は他の一意的な１つもしくは複数の識別記号であることが可能な登録識別情報（登録ＩＤ）は、データベースにおいて、各動物、又はその胚又は配偶子と相関される。動物は、イヌ科、ネコ科、ウマ科、ウシ属、ヤギ、ヒツジ、ブタ、動物園の動物又は野生動物等の、愛玩動物、競技用動物、家畜等であってもよい。このリストは、限定的であることを意図するものではない。胚又は配偶子は、単一の胚もしくは配偶子、又は複数の同一の胚もしくは同一の配偶子のいずれかを意味するものであってもよい。配偶子は、他のもう１つの細胞と合体して新しい生体を形成することができる、精子又は卵子のような成熟した有性生殖細胞である。動物、クローン又は配偶子は、クローンであってもよい。クローンは、当該クローンの由来となるもとの単位体又は個体と遺伝的に同一である細胞、細胞生成物、又は生体である。動物のクローン生成方法は当業者には既知であり、例えば、米国特許出願第６，５４８，７４１号に開示されている。胚は、体外受精（ＩＶＦ）によって、又は自然受胎によって生成され、フラッシング（flushing）によって回収されてもよい。
【００１５】
１つの動物、胚又は配偶子には、１つ又は複数の遺伝的形質識別子が関連付けられてもよい。遺伝的形質識別子は、動物、胚又は配偶子に係る、その遺伝物質に基づく特性である。遺伝物質は、個々の動物、胚又は配偶子の核酸配列である。核酸は、ＤＮＡ又はＲＮＡであってもよい。遺伝的形質識別子は、核酸配列、核酸配列における突然変異、多型、一塩基多型、対立遺伝子、組み換えイベント、遺伝子増幅、遺伝子欠失、又は核酸発現レベルを含む遺伝子型であってもよいが、これらに限定されるものではない。また、遺伝的形質識別子はタンパク質等の遺伝子産物であってもよく、変異タンパク質及びタンパク質発現レベルを含んでもよい。遺伝的形質識別子は、品種タイプ、血統（家系）、疾病素質又は身体的形態等の表現型であってもよい。遺伝的形質識別子は、食品品質又は耐熱性等の表現型であってもよい。
【００１６】
品種タイプは、例えば、アフガンハウンド（Afghan Hound）、エアデールテリア（Airedale Terrier）、アメリカンピットブルテリア（American Pit Bull Terrier）、バセットハウンド（Basset Hound）、ビーグル（Beagle）、ボストンテリア（Boston Terrier）、チワワ（Chihuahua）、チャイニーズクレステッド（ヘアレス）（Chinese Crested (hairless)）、コッカプー（Cockapoo）、コッカースパニエル（Cocker Spaniel）、ダックスフント（Dachshund）、ダルメシアン（Dalmatian）、ディンゴ（Dingo）、ドーベルマンピンシャー（Doberman Pinscher）、フォックステリア（Fox Terrier）、ジャーマンシェパード（German Shepherd）、ゴールデンレトリーバー（Golden Retriever）、グレートデーン（Great Dane）、アイリッシュセター（Irish Setter）、イタリアングレーハウンド（Italian Greyhound）、ジャックラッセルテリア（Jack Russell Terrier）、キースホンド（Keeshond）、ラブラドールレトリーバー（Labrador Retriever）、ラサアプソ（Lhasa Apso）、オールドイングリッシュシープドッグ（Old English Sheepdog）、パピヨン（Papillon）、ペキニーズ（Pekingese）、ポメラニアン（Pomeranian）、プードル（Poodle）、パグ（Pug）、クイーンズランドヒーラー（Queensland Heeler）、ローデシアンリッジバック（Rhodesian Ridgeback）、ロットワイラー（Rottweiler）、セントバーナード（Saint Bernard）、シャーペイ（Shar-Pei）、シベリアンハスキー（Siberian Husky）、ビズラ（Vizsla）、ウルフハイブリッド（Wolf Hybrid）、ヨークシャテリア（Yorkshire Terrier）、及びアメリカン・ケンネル・クラブ（the American Kennel Club：ＡＫＣ）が認定するもの等の他の犬種であってもよい。
【００１７】
品種タイプは、例えば、アビシニアン（Abyssinian）、アメリカンボブテイル（American Bobtail）、アメリカンカール（American Curl）、アメリカンショートヘア（American Shorthair）、アメリカンワイヤヘア（American Wirehair）、バリニーズ（Balinese）、ベンガル（Bengal）、バーマン（Birman）、ボンベイ（Bombay）、ブリティッシュショートヘア（British Shorthair）、バーミーズ（Burmese）、カリフォルニアスパングルドキャット（California Spangled Cat）、シャンティイ／ティファニー（Chantilly/Tiffany）、シャルトリュー（Chartreux）、カラーポイントショートヘア（Color point shorthair）、コーニッシュレックス（Cornish Rex）、キムリック（Cymric）、デボンレックス（Devon Rex）、ドメスティックロングヘア（Domestic Longhair）、ドメスティックショートヘア（Domestic Shorthair）、エジプシャンマウ（Egyptian Mau）、ヨーロピアンバーミーズ（European Burmese）、エキゾティック（Exotic）、ハバナブラウン（Havana Brown）、ヒマラヤン（Himalayan）、ジャパニーズボブテイル（Japanese Bobtail）、ジャバニーズ（Javanese）、コラット（Korat）、ラパーム（LaPerm）、メインクーン（Maine Coon）、マンクス（Manx）、マンチカン（Munchkin）、ネベロング（Nebelung）、ノルウェージャンフォレストキャット（Norwegian Forest Cat）、オシキャット（Ocicat）、オリエンタル（Oriental）、ペルシア（Persian）、ピクシーボブ（Pixie-bob）、ラガマフィン（Ragamuffin）、ラグドール（Ragdoll）、ロシアンブルー（Russian Blue）、スコティッシュフォールド（Scottish Fold）、セルカークレックス（Selkirk Rex）、シャム（Siamese）、サイベリアン（Siberian）、シンガプーラ（Singapura）、スノーシュー（Snowshoe）、ソマリ（Somali）、スフィンクス（Sphynx）、トンキニーズ（Tonkinese）、ターキッシュアンゴラ（Turkish Angora）、ターキッシュバン（Turkish Van）、及びキャット・ファンシアーズ・アソシエーション（the Cat Fanciers Association：ＣＦＡ）が認定するもの等の他の猫種であってもよい。
【００１８】
品種タイプは、例えば、アンガス（Angus）、アンコーレ（Ankole）、エアシャー（Aryshire）、バランサ（Balancer）、バルゾナ（Barzona）、バザデ（Bazadais）、ビーファロー（Beefalo）、ビーフマスター（Beefmaster）、ベルジアンブルー（Belgianlue）、ベルテッドギャロウェイ（Beltedalloway）、ブロンドダキテーヌ（Blonde'Aquitaine）、ブルーグレイ（Bluegrey）、ボラン（Boran）、ブラフォード（Braford）、ブラーマン（Brahman）、ブランガス（Brangus）、ブラウンフィー（Braunvieh）、ブリティッシュホワイト（Britishhite）、ブラウンスイス（Brownwiss）、ブーリンゴ（BueLingo）、シャルブレイ（Charbray）、シャロレー（Charolais）、チャンガス（Chiangus）、クラバルブズ（Clubalves）、コマーシャル（Commercial）、コリエンテ（Corriente）、デボン（Devon）、デキスター（Dexter）、ドラウトマスター（Droughtmaster）、イングリッシュロングホーン（Englishonghorn）、ギャロウェイ（Galloway）、ガスコン（Gascon）、ゲルプフィー（Gelbvieh）、ギール（Gir）、ガーンジー（Guernsey）、ヘレフォード（Hereford）、ハイランド（Highland）、ホルスタイン（Holstein）、アイリッシュラック（Irishlack）、ジャージー（Jersey）、ケリー（Kerry）、リムザン（Limousin）、リンカーンレッド（Lincolned）、ローライン（Lowline）、リン（Luing）、メーヌアンジュー（Maine-Anjou）、マルキジアーナ（Marchigiana）、マレーグレイ（Murrayrey）、ネローレ（Nelore）、ノルマン（Normande）、マルテネ（Marthenais）、ピエモンテーズ（Piedmontese）、ピンツガウア（Pinzgauer）、ランドール（Randall）、レクリエーショナルキャトル（Recreationalattle）、レッドポール（Redoll）、ロマニョーラ（Romagnola）、サレー（Salers）、サローン１（Salorn1）、サンタガートルーディス（Santaertrudis）、セネポール（Senepol）、シェトランド（Shetland）、ショートホーン（Shorthorn）、シンブラ（Simbra）、シンメンタール（Simmental）、サウスデボン（Southevon）、サセックス（Sussex）、タランテーズ（Tarentaise）、テキサスロングホーン（Texas Longhorn）、和牛（Wagyu）、ワツシ（Watusi）、ウェルシュブラック（Welshlack）、ホワイトブレッドショートホーン（Whitebredhorthorn）、ゼブ（Zebu）、及びアメリカン・アンガス・アソシエーション（American Angus Association）、アメリカン・ヘレフォード・アソシエーション（American Hereford Association）、レッドアンガス・アソシエーション・オブ・アメリカ（Red Angus Association of America）、アメリカン・ワギュー・アソシエーション（American Wagyu Association）、ホルスタイン・アソシエーション（The Holstein Association）、アメリカン・ガーンジー・アソシエーション（The American Guernsey Association）、アメリカン・ジャージーキャトル・アソシエーション（American Jersey Cattle Association）が認定するもの等の他の牛種であってもよい。
【００１９】
品種タイプは、例えばアルコット（Arcott）、ブラックベリ（Blackbelly）、ブラックウェルシュマウンテン（Black Welsh Mountain）、ブルーフェイスドレスター（Bluefaced Leicester）、ボーダーレスター（Border Leicester）、カリフォルニアレッド（California Red）、カリフォルニアベリエゲーテッドミュータント（California Variegated Mutant）、チェビオット（Cheviot）、コッツウォルド（Cotswold）、ドーセット（Dorset）、フィニッシュランドレース（Finnish Landrace）、ゴールウェイ（Galway）、ハンプシャー（Hampshire）、アイスランディック（Icelandic）、ジェイコブ（Jacob）、カラクール（Karakul）、及びブルーフェイスドレスターユニオン・オブ・ノースアメリカ（the Bluefaced Leicester Union of North America）、アイスランディックシープブリーダーズ・オブ・ノースアメリカ（Icelandic Sheep Breeders of North America）、ノースアメリカン・シェトランドシープ・アソシエーション（North American Shetland Sheep Association）、アメリカン・ブラックシープ・レジストリ（American Black Sheep Registry）、アメリカン・フィンシープブリーダーズ・アソシエーション（American Finnsheep Breeder's Association）及びカリフォルニアレッドシープレジストリ・インコーポレイテッド（California Red Sheep Registry, Inc.）が認定するもの等の他の羊種であってもよい。
【００２０】
品種タイプは、例えば、アルパイン（Alpine）、アルタイマウンテン（Altai Mountain）、アメリカンカシミヤ（American Cashmere）、アナトリアンブラック（Anatolian Black）、アングロヌビアン（ヌビアン）（Anglo-Nubian (Nubian)）、アンゴラ（Angora）、ブリティッシュアルパイン（British Alpine）、カナリーアイランド（Canary Island）、コルシカン（Corsican）、ダマスカス（Damascus）、ゴールデンガーンジー（Golden Guernsey）、ヘキシカシミヤ（Hexi Cashmere）、ピグミー（Pygmy）、ロシアンホワイト（Russian White）、サンクレメンテ（San Clemente）、ソマリ（Somali）、テネシーフェインティング（Tennessee Fainting）、ウエストアフリカンドワーフ（West African Dwarf）、ホワイトショートヘアードゴート（White Shorthaired Goat）、イエメンマウンテン（Yemen Mountain）、ザラワジ（Zalawadi）、及びアメリカン・ボーアゴート・アソシエーション（the American Boer Goat Association）、アメリカン・デイリゴート・アソシエーション（American Dairy Goat Association）、アメリカン・ゴート・ソサイアティ（American Goat Society）、インターナショナル・デイリゴート・レジストリ（International Dairy Goat Registry; IDGR, Inc.）及びナショナル・ピグミーゴート・アソシエーション（National Pygmy Goat Association）が認定するもの等の他のヤギ種であってもよい。
【００２１】
品種タイプは、例えば、アメリカンランドレース（American Landrace）、アメリカンヨークシャー（American Yorkshire）、バンツー（Bantu）、バークシャー（Berkshire）、ブリティッシュロップ（British Lop）、ダッチランドレース（Dutch Landrace）、フレンチランドレース（French Landrace）、ジャーマンランドレース（German Landrace）、ギニアホッグ（Guinea Hog）、ハンプシャー（Hampshire）、ヘレフォード（Hereford）、ヘズオ（Hezuo）、イベリアン（Iberian）、イタリアンランドレース（Italian Landrace）、ミドルホワイト（Middle White）、ミュールフット（Mulefoot）、ノルウェージャンランドレース（Norwegian Landrace）、オックスフォードサンディアンドブラック（Oxford Sandy and Black）、ピエトレン（Pietrain）、レッドワトル（Red Wattle）、サドルバック（Saddleback）、スウィーディッシュランドレース（Swedish Landrace）、チベット（Tibetan）、ベトナミーズポットベリ（Vietnamese Potbelly）、ウェルシュ（Welsh）、ウージーシャン（Wuzhishan）、及びサーティファイド・ペディグリードスワイン・アソシエーション（the Certified Pedigreed Swine Association）、ナショナル・ショーピッグ・アソシエーション（National Show Pig Association）及びナショナル・スワイン・レジストリ（National Swine Registry）が認定するもの等の他の豚種であってもよい。
【００２２】
品種タイプは、例えば、アビシニアン（Abyssinian）、アルバニアン（Albanian）、アルタイ（Altai）、アメリカンクリームアンドホワイト（American Creme and White）、アメリカンウォーキングポニー（American Walking Pony）、アンダルシアン（Andalusian）、アパルーサ（Appaloosa）、アラビアン（Arabian）、アステカ（Azteca）、ベルジャン（Belgian）、シンコティーグポニー（Chincoteague Pony）、クライズデール（Clydesdale）、ダッチドラフトＭ（Dutch Draft M）、エジプシャン（Egyptian）、ゴールデンアメリカンサドルブレッド（Golden American Saddlebred）、ゴトランド（Gotland）、ホッカイドウ（Hokkaido）、アイスランディック（Icelandic）、ユトランド（Jutland）、カザフ（Kazakh）、ラトビアン（Latvian）、リトアニアンヘビードラフト（Lithuanian Heavy Draft）、リピッツァナー（Lipizzan）、ルシターノ（Lusitano）、モンゴリアン（Mongolian）、ムスタング（Mustang）、ニューファンドランドポニー（Newfoundland Pony）、ノールラン（Nordland）、オルロフトロッター（Orlov Trotter）、ペイント（Paint）、パロミノ（Palomino）、ペルビアンパソ（Peruvian Paso）、ピント（Pinto）、プルツワルスキー（Przewalski）、クォーターホース（Quarter Horse）、ラッキングホース（Racking Horse）、シェットランドポニー（Shetland Pony）、シャイアー（Shire）、ソマリポニー（Somali Pony）、テネシーウォーキングホース（Tennessee Walking Horse）、サラブレッド（Thoroughbred）、ウェルシュポニー（Welsh Pony）、シリンゴル（Xilingol）、及びアメリカンクオーターホース・アソシエーション（the American Quarter Horse Association：ＡＱＨＡ）、パソフィノホース・アソシエーション・インコーポレイテッド（Paso Fino Horse Association, Inc.：ＰＦＨＡ）、ユナイテッドステイツ・リピッツァン・レジストリ（United States Lippizan Registry）、アラビアンホースレジストリ・オブ・アメリカ・インコーポレイテッド（Arabian Horse Registry of America, Inc.）、ワールド・アラビアンホース・オーガニゼーション（World Arabian Horse Organization）及びアメリカンモルガンホース・アソシエーション（American Morgan Horse Association）が認定するもの等の他の馬種であってもよい。
【００２３】
品種タイプは、他の動物種のものであってもよく、このリストは限定を意味するものではない。
【００２４】
動物のタイプは、父畜、母畜、子猫、子犬、子牛、子ヤギ、子羊、子馬、引退、又は動物の一生のうちのある段階を示す他の状態であってもよい。
【００２５】
疾病素質は、所定の疾病、例えば股関節形成異常、肥満症、糖尿病、及び腫瘍遺伝子に相関したもの等の癌のような疾病を潜在的に引き起こす可能性のある任意の遺伝子異常（genetic alteration）であってもよい。遺伝子異常から結果的に生じる猫の疾病の一例は、多発性嚢胞腎（ＰＫＤ）である。遺伝子異常から結果的に生じる犬の疾病の例には、多発性嚢胞腎、ホスホフルクトキナーゼ欠乏症、ピルビン酸キナーゼ欠乏症、フォン・ヴィレブランド（von Willebrand）病、及び進行性網膜萎縮症が挙げられる。遺伝子異常から結果的に生じる牛の疾病の例には、アルファ−マンノシドーシス、ベータ−マンノシドーシス、ウシリンパ球接着不全症（Bovine Lymphocyte Adhesion Deficiency：ＢＬＡＤ）、ウリジン一リン酸合成酵素欠乏症、低身長症、第ＩＸ因子プロトポルフィリン症、及びウィーバー（Weaver）症候群が挙げられる。遺伝子異常から結果的に生じる馬の疾病の例には、高カリウム性周期性四肢麻痺（Hyperkalemic periodic paralysis：ＨＹＰＰ）及び致死性白子馬症候群（Lethal White Syndrome）が挙げられる。
【００２６】
形態は、動物の特定の身体的特性に関連する。例えば、アメリカンケンネルクラブ（ＡＫＣ）は、各品種の理想的なサイズ、色及び気質を記述するとともに、正しい身体的均斉、構造及び動作を記述する標準を有する。
【００２７】
各動物、胚又は配偶子毎に、１つ又は複数の非遺伝的形質識別子を関連付けることができる。非遺伝的形質識別子は、動物、胚又は配偶子に係る、その遺伝物質とは独立した特性である。非遺伝的形質識別子には、動物について、また当該動物を由来とする胚／配偶子について記述しているデータ、動物の所有者、育種組織、動物の登録事項、及び金銭上の取引データが含まれるが、これらに限定されるものではない。
【００２８】
動物、胚又は配偶子の記述データには、登録ＩＤ、ＤＮＡ  ＩＤ、出生日、性別、品種、毛色、マイクロチップ番号、入れ墨番号、画像、証明書番号、証明書タイプ、地理的位置、又は利用可能（available）タグが含まれてもよい。また動物、胚又は配偶子の記述データには、身長、体重、発育の特徴、飼育場の場所、飼料配合、生産データ、国境通過回数、輸送データ、受賞データ、疾病状態、ワクチン接種データ、医療記録データ、又は貯蔵データ（胚又は配偶子等の場合）が含まれてもよい。
【００２９】
所有者情報には、所有者名、所有者ＩＤ、所有者転送データ、所有者の住所、又は所有者の証明書が含まれてもよい。所有者ＩＤは、数字であっても、当該所有者を一意に識別する記号の組合せであってもよい。
【００３０】
ＤＮＡ  ＩＤは、数字であっても、核酸を一意に識別する記号の組合せであってもよい。画像は、例えば、動物、所有者、又は当該動物が飼育されている施設の写真であってもよい。地理的位置は、例えば、大陸、国、郡、市、通りの住所、又は部屋番号であってもよい。利用可能タグは、その動物、胚又は配偶子を例えば買い手による購入のために利用可能であるか、又は繁殖用ストックとして利用可能であるかに関する標識（はい／いいえフラグ等）であってもよい。
【００３１】
疾病状態は、例えば口蹄病、ラセンウジバエ又はウシ海綿状脳症（ＢＳＥ）に関する、疾病検査又は寄生虫検査の結果であってもよい。貯蔵状態は、胚又は配偶子がどのように貯蔵されているかに関する、温度、施設、貯蔵ケーン内のラックＩＤなどのデータであってもよい。
【００３２】
動物の登録所には、例えばキャット・ファンシアーズ・アソシエーション（ＣＦＡ）、アメリカンケンネルクラブ（ＡＫＣ）、ホルスタイン・アソシエーション、他が含まれてもよい。
【００３３】
金銭上の取引データには、例えばクレジット又はデビットカード情報が含まれてもよく、購入又は競売情報であってもよい。競売情報には、定価、最低競売価格もしくは入札価格、又は動物、胚もしくは配偶子の競売に関する競売開始時刻、競売終了時刻、経過時間等の他の競売情報が含まれてもよい。貯蔵データには、例えば胚又は配偶子がどのような状態で貯蔵又は輸送されるかに関する情報が含まれてもよい。
【００３４】
図１は、本発明の一実施形態による計算装置を示す。本計算装置８０は、プロセッサ９０と、データ記憶装置１００とを備える汎用コンピュータであってもよい。計算装置８０は、動作可能であるために図１に描かれていないいくつかの他の構成要素を必要とすることは理解されるであろう。便宜上、これらの構成要素は省略されている。実施形態によっては、計算装置８０はさらにネットワークアダプタを含むことができる点は理解されるであろう。この実施形態では、コンピュータソフトウェア製品をデータ記憶装置１００上に格納することができる。コンピュータソフトウェア製品は、プロセッサ９０によって実行される機械実行可能命令を含むことができる。計算装置８０は、本明細書に記述している方法を実行するように構成されてもよい。さらに、計算装置８０は、業界標準ソフトウェアアプリケーションと、本明細書に記述した実施形態に従って導出されるスキンを備えたモデルとから導出される、顧客固有のソフトウェアを実行するように構成されてもよい。実施形態によっては、データ記憶装置１００は、上述のようなデータ記憶装置を含んでもよい。計算装置８０はさらに、グラフィックディスプレイ又はオーディオ装置等の出力装置を含むように構成されてもよい。
【００３５】
図２を参照すると、ここでは、開示している様々な態様及び特徴に一致するネットワーク１１０を示す。図２はクライアント−サーバ型のネットワークを示し、ここでは、データ記憶装置１３０がサーバ１２０上に存在することができる。図示されていない他の実施形態では、データ記憶装置１３０はクライアント装置１４０上に存在することができる。サーバ１２０及びクライアント１４０は、所定のスキンを有するモデル及びソフトウェアアプリケーションから導出されるソフトウェア製品を実行するように構成されることが可能である。さらに、サーバ１２０及びクライアント１４０は本明細書に記述している方法を実施するように使用されることが可能である。クライアント装置１４０はさらに、グラフィックディスプレイ又はオーディオ装置等の出力装置を含むように構成されることが可能である。
【００３６】
当該技術において既知であるように、通信ネットワーク１１０は、図示されていないいくつかの構成要素を備えることができる。通信ネットワーク１１０は、いくつかの方法に分類されることが可能である。通信ネットワーク１１０は、基礎を成す技術にサポートされる範囲によって分類されてもよい。例えば、通信ネットワーク１１０の技術の中には、かなりの範囲にわたって通信を提供するように設計されるものがある。公衆交換電話網（ＰＳＴＮ）は、ほとんど全世界に到達している通信ネットワーク１１０である。ＰＳＴＮのかなりの部分は、有線インフラストラクチャを備える。ＰＳＴＮの一部は、光ファイバ媒体を備える。ＰＳＴＮインフラストラクチャの他の部分は、無線媒体を通じて通信するマイクロ波又は無線周波リンクを含むことが可能である。無線及びセルラ電話ネットワークは、ＰＳＴＮとインターフェースをとる。
【００３７】
他のタイプのデータ通信ネットワーク１１０は、音声通信ネットワーク１１０とインターフェースをとることができる。これらの通信ネットワーク１１０は、インターネットのように本質的にグローバルな範囲を有することが可能である。これらの通信ネットワーク１１０は、現在ＷｉＭａｘと呼ばれている技術等の、無線メトロポリタンエリアネットワーク技術を含むことができる。メトロポリタンエリアネットワーク１１０は、有線又は光媒体を含むとともに、無線媒体を含むことができる。ローカルエリアネットワーク１１０は、典型的には撚り対線有線媒体を使用する有線式であってもよく、無線式であってもよい。無線ローカルエリアネットワーク（ＷＬＡＮ）は、直接拡散スペクトル拡散（ＤＳＳＳ）又は直交周波数分割多重（ＯＦＤＭ）のような無線技術を使用するネットワーク１１０を含むことが可能である。これらの２つの無線技術は、一般にはＷｉＦｉ又は８０２．１１ａ、ｂ及びｇと称される、周知のＷＬＡＮ技術の基礎である。無線ネットワークはさらに、無線パーソナルエリアネットワーク（ＷＰＡＮ）として分類されることが可能である。典型的にＷＰＡＮ技術では、データレートはかなり高速であることが可能であるが、範囲は２０メートル未満に限定される可能性がある。ＷＰＡＮ技術の一例には、現在ＢＬＵＥＴＯＯＴＨとして知られる技術等の周波数ホッピングスペクトル拡散技術が含まれる（ＢＬＵＥＴＯＯＴＨは、ブルートゥース  エスアイジー，インコーポレイテッド（Bluetooth Special Interest Group）の登録商標である。）。現在開発中である他のＷＰＡＮ技術には、現在インパルス技術として実装されているウルトラワイドバンド、ＤＳＳ技術、及び周波数ホッピングＯＦＤＭ技術が含まれる。
【００３８】
ある実施形態において実行される方法は、少なくとも１つの遠隔のユーザから通信ネットワークを介してアクセス要求メッセージを受信し、上記遠隔のユーザへ上記通信ネットワークを介してアクセス有効化メッセージを送信する。上記アクセス有効化メッセージは、上記遠隔のユーザが上記データベースへ１つ又は複数の遺伝的形質識別子に関する問合せを送ることを許可し、上記データベース内のデータは少なくとも１つの登録ＩＤに対応する少なくとも１つの遺伝的形質識別子及び少なくとも１つの非遺伝的形質識別子を含み、各登録ＩＤは１体の動物、胚又は１つもしくは複数の同一配偶子に対応する。本方法はさらに、上記データベースにおいて、１つ又は複数の登録ＩＤを、上記少なくとも１つ又は複数の対応する遺伝的形質識別子によって検索し、上記アクセスされたデータベースからのレポートをコンパイルする。上記レポートは、少なくとも１つのレポート結果によって、上記１つ又は複数の登録ＩＤを、対応する１つ又は複数の遺伝的形質識別子又は１つ又は複数の非遺伝的形質識別子と関連付ける。本方法はさらに、上記遠隔のユーザへ上記コンパイルされたレポートを送信する。
【００３９】
コンパイルされたレポートに対して、所定のデータの除去又は挿入等のフィルタリングを実行することが可能である。このことは、レポートをコンパイルする前に、選択されたデータを追加又は除去することによって達成されてもよい。このことは、遠隔のユーザへ送信する前に、コンパイルされたレポートから選択データを追加又は除去することにより達成されてもよい。例えば、所有者の身元情報を保護するために、又はユーザが機密の金融データを見ることを防止するために、コンパイルされたレポートから機密識別情報データが除去されてもよい。当業者には、他のフィルタリング方法も知られている。
【００４０】
遠隔のユーザは、動物、胚又は配偶子の買い手又は売り手であってもよい。１つの売り手に対して少なくとも１つの買い手が存在する販売では、売り手は価格を設定することができ、買い手はその設定価格で動物、胚又は配偶子を購入することができる。競売では、売り手は最低競売価格を設定することができ、１つ又は複数のユーザは入札価格を提示することができる。競売のプロセスは、当該技術分野では周知である。次に、競売の終わりに最高価格の入札者が識別され、動物、胚又は配偶子を指定された場所へ送ることができる。胚又は配偶子は、これらを安定させる特殊化された輸送容器に入れて送られてもよい。胚又は配偶子の積荷は、詐欺行為から保護するためにＤＮＡ証明書も含んでもよい。競売の時間枠（終了時刻）は、指定可能である。当該技術分野において、ｅＢａｙ、ＵＢｉｄ、Ｙａｈｏｏ！Ａｕｃｔｉｏｎ及びＭｅｒｃＥｘｃｈａｎｇｅ等のオンラインオークションが知られている。
【００４１】
遠隔のユーザは、動物、胚又は配偶子を（取り違え又は盗難によって）失った所有者である場合もあれば、動物、胚又は配偶子を発見した者である場合もある。ユーザは、遺伝的形質又は非遺伝的形質の識別子データを包含するデータベースへ問合せを送り、一致する動物、胚又は配偶子を識別するレポートをコンパイルさせることができる。発見者又は所有者には各々、その動物、胚又は配偶子が失われている、又は発見されているという通知を送信することができる。別の実施形態では、発見された動物に遺伝子検査が実行され、遺伝子検査データが問合せとして送られる。
【００４２】
本発明の一実施形態は、１つ又は複数のクライアントと、上記１つ又は複数のクライアントと通信ネットワークを介して通信するサーバとを有する通信ネットワークを含む。上記サーバは、上記１つ又は複数のクライアントから１つ又は複数の問合せを受信し、クライアントから上記通信ネットワークを介してアクセス要求メッセージを受信し、上記クライアントへ上記通信ネットワークを介してアクセス有効化メッセージを送信するように構成される。上記アクセス有効化メッセージは、上記クライアントが上記データベースへ１つ又は複数の遺伝的形質識別子に関する問合せを送ることを許可し、上記データベース内のデータは少なくとも１つの登録ＩＤに対応する少なくとも１つの遺伝的形質識別子を含み、各登録ＩＤは１体の動物、胚又は配偶子に対応する。上記サーバはさらに、上記データベースに、１つ又は複数の登録ＩＤについて、少なくとも１つ又は複数の対応する遺伝的形質識別子によって問い合わせ、上記アクセスされたデータベースからのレポートをコンパイルする。上記レポートは、少なくとも１つのレポート結果によって、上記１つ又は複数の登録ＩＤを、対応する１つ又は複数の遺伝的形質識別子と関連付ける。上記サーバはさらに、上記クライアントへコンパイルされたレポートを送信するように構成される。コンパイルされたレポートは、フィルタリングされてもよい。
【００４３】
本発明の一実施形態は、１つ又は複数のクライアントからネットワークを介して１つ又は複数の問合せを受信するように適合化されたネットワークインターフェースと、少なくとも１つの登録ＩＤに対応する少なくとも１つの遺伝的形質識別子及び１つの非遺伝的形質識別子を含むデータベースを備えるデータ記憶装置と、上記ネットワークインターフェースと通信するプロセッサとを有するサーバを含む。各登録ＩＤは１体の動物、胚又は配偶子に対応する。上記プロセッサは、１つ又は複数の遺伝的形質識別子に関する問合せを受信し、上記データベースに、１つ又は複数の登録ＩＤについて、少なくとも１つ又は複数の対応する遺伝的形質識別子によって問い合わせ、上記アクセスされたデータベースからのレポートをコンパイルするように適合化される。上記レポートは、少なくとも１つのレポート結果によって、上記１つ又は複数の登録ＩＤを、対応する１つ又は複数の遺伝的形質識別子と関連付ける。上記プロセッサはさらに、コンパイルされたレポートを遠隔のユーザへ送信するように適合化される。
【００４４】
ある実施形態では、本発明は、通信ネットワークを介してサーバと通信するように適合化されたネットワーク通信インターフェースと、上記ネットワークインターフェースと通信するプロセッサとを有するクライアントを含む。上記サーバはデータ記憶装置を備え、上記データ記憶装置は少なくとも１つの登録ＩＤに対応する少なくとも１つの遺伝的形質識別子及び１つの非遺伝的形質識別子を含むデータベースを備え、各登録ＩＤは１体の動物、胚又は配偶子に対応する。上記プロセッサは上記ネットワークを介して上記データベースに問い合わせるように構成される。
【００４５】
クライアントはさらに、生体分析装置（bioanalytical device）からのデータ、又は生体分析装置からのデータを有するコンピュータもしくはデータ記憶装置からのデータ、又は分析から手動入力された結果を受け入れるように構成されることが可能である。分析は、核酸、ポリペプチド又は他の巨大分子に基づくものであってもよい。核酸分析から導出されるデータは、ＤＮＡ塩基配列決定法、ＰＦＧＥ分析、対立遺伝子特異的オリゴヌクレオチド（ＡＳＯ）、ドットブロット分析、及び変性剤濃度勾配ゲル電気泳動を含む、当業者には周知であるような方法によって取得されてもよい。また、マイクロチップ技術及びＴａｑＭａｎ検定による核酸分析も当該技術において周知である。核酸分析は、例えば、突然変異、遺伝子増幅、遺伝子欠失、多型又は遺伝子発現を決定することができる。タンパク質分析は、例えば、免疫学的検定法、ペプチド配列決定法、及び電気泳動法を含んでもよい。タンパク質分析は、例えば、タンパク質のプロセシング及び修飾を決定することができる。
【実施例１】
【００４６】
ＣａｔＢａｎｋ．
本明細書で説明する一実装は「ＣａｔＢａｎｋ（キャットバンク）」と称され、この名称が含意するようにブリーダーとして見込まれる者のための猫のＤＮＡ証明書を包含する。猫は「純粋種」であるか、珍しい交雑種（unusual crosses）又は唯一の子孫（unique progeny）である。
【００４７】
さらに、本明細書では実施形態を（猫の）ブリーダーに関連して説明するが、本発明はまた、動物クローニングに関するグローバルなオンライン市場も可能にする。グローバルなクローニング市場は、動物のプロファイルがオンラインで利用される点は類似しているが、配達できるものは育種を目的として購入又は使用される動物ではなく、顧客へは、所定のプロファイルを有する動物の遺伝物質を使用して生成されたクローン胚が配達される。クローン胚は、レシピエント動物の体内へ移されることが可能である。レシピエント動物は、着床を促進するためにホルモン的に刺激されてもよい。レシピエントは、顧客によって、又は顧客の近くで保全されてもよい。
【００４８】
従って、本発明は、遺伝的形質識別子に基づく動物の取引が促進される、オンライン市場のための様々なシナリオを提供する。オンライン上では通常多くの商品が販売され、動物は通常ＤＮＡを用いて識別されるが、本明細書で記述しているように、ＤＮＡについて証明を受けた動物のオンライン販売と、様々な基準による検索が可能なオンラインデータベースの使用との組合せは、新しい可能性をもたらす。この方法では、国際的な動物の買い手らと売り手らとがオンライン上で引き合わされ、その結果、育種プログラムに使用するための動物の選択はずっと迅速化され、かつ詐欺行為を減らすことができる。さらに、配送物がクローンである場合、動物全体でなくクローン胚の配送にかかるコストは著しく少ない。クローン胚は、胚を安定させる適切な胚輸送用容器に入れて輸送することができ、コストはさらに低減しかつ市場到達度は拡大される。
【００４９】
本明細書に説明しているような遺伝的形質のオンライン市場は、グローバルな運用シナリオを参照することにより、さらによく理解することができる。多くの国では、自国内に存在しない動物の遺伝的形質には有用性があり、実際に、ある地域では一般的である動物の遺伝的形質は、飽和によってその場所では価値が下がっている可能性があるが、他の地域では希少であって多大な価値がある可能性がある。遺伝的形質のオンライン市場を使用すれば、全世界の価値のある動物の遺伝的形質の所有者は、動物の遺伝的形質及び関連付けられた証明書について知り、これらを購入しかつ取引する容易な方法を有する。
【００５０】
データベースは、動物のＤＮＡ証明書を格納するために使用される。ＤＮＡ証明データは動物のブリーダーによって管理され、動物のブリーダーは、動物を検索する可能性のある買い手がこの情報を公に利用できるようすることを選択できる。
【００５１】
図３は、潜在的な買い手が利用可能な動物をオンラインでインターネットに基づいて調査することを可能にする、「コンパスローズ猫舎（Compass Rose Cattery）」が提供するページのスクリーンショットを示す。
【００５２】
図４は、「フィーラインファインダ（Feline Finder：猫を見つけるための手段）」ディスプレイウィンドウを示すスクリーンショットであり、買い手が求めている動物の特性を指定するために遺伝的形質データ及び非遺伝的形質データの双方をどのようにして入力できるかを示す。
【００５３】
図５は、「フィーラインファインダ」のデータ入力の検索結果と、これに続くデータベース検索結果を示すスクリーンショットである。
【００５４】
図６は、上記検索結果で特定された動物、図示されているケースでは「コンパスローズ  象牙色  ボーイ」と称される動物の詳細を示すスクリーンショットである。
【００５５】
ＤＮＡサービスのＣａｔＢａｎｋスイート．
ＣａｔＢａｎｋは、猫のブリーダー及び所有者に、ＤＮＡ識別検査、フィーラインファインダ、血統分析、遺伝病検査、及びＤＮＡ保存の各サービスを含む、ＤＮＡサービスの包括的スイートを提供する。これらのサービスは、ＣａｔＢａｎｋのウェブサイトwww.CatBank.orgを通じて直接発注することができ、同じく同サイトを通じて検査結果を直に受信することができる。
【００５６】
ＣａｔＢａｎｋは、バイオアーツ・サイエンス・センター（BioArts Science Center）の研究者を含む、世界中の研究者によって開発される新しいサービスを許諾して提供する。ＣａｔＢａｎｋ上へ包含する対象として検討される新しい各サービスは、まず、厳格な評価プロセスに合格しなければならない。以下、サービススイートについて説明する。
【００５７】
ＤＮＡ識別検査
ＤＮＡ識別検査は、個々の猫の身元に関する永久的な記録を作成する。猫のブリーダーがＤＮＡ  ＩＤ検査を発注すると、ブリーダーは、ＤＮＡ記録管理者になり、かつ、その猫の一生を通じた「記録上の猫舎」になり、一意のＤＮＡ  ＩＤが記載されたＤＮＡ識別情報証明書を受信する（図７参照）。
【００５８】
ＤＮＡ  ＩＤ検査は、愛猫家が、他の動物登録所に多大な恩恵を与えているものに類似するＤＮＡ証明プログラムを実施することを可能にする。このようなプログラムは、血統書の完全性、猫の健康を向上させ、血統書付きの猫の購入者間の信頼を高める。ＤＮＡ識別情報の証明書は、猫の身元保証書である。
【００５９】
ＣａｔＢａｎｋは、ブリーダーがフィーラインファインダにその猫たちを「利用可能」としてリストし、クライアントとして見込まれる者へ電子メールを送り、かつその猫のＤＮＡ  ＩＤ記録のコピーを購入者へ転送することを可能にする単純なコントロールパネルを含む。図８を参照されたい。
【００６０】
フィーラインファインダ．
フィーラインファインダは、公衆がＣａｔＢａｎｋデータベース内の任意の猫に関する情報を特定することを可能にするCatBank.org上のツールである。その特徴は、健康な犬の繁殖を支援するように設計されている、犬の健康インフォメーションセンタ（Canine Health Information Center：ＣＨＩＣ）のウェブサイトwww.caninehealthinfo.org/chicinfo.htmlで発見されるものに類似している。
【００６１】
図９は、（コンパスローズで飼育されているオリエンタルキャットに関する）検索ダイアログの一例である。本図に示すように、この検索ダイアログは、ＤＮＡ  ＩＤ、タイトル、猫舎又は名称、品種、動物のタイプ、猫の性別、血統証明書、ＰＫＤ証明書、及び地理的な場所（市及び州）の各フィールドを有する。
【００６２】
図１０は、この検索の結果を示す。本図に示すように、一致する猫のリストが、下記の情報、すなわち猫のＤＮＡ  ＩＤ、名称及び連絡用情報、品種、動物のタイプ、及び猫の性別を含んで示される。
【００６３】
図１１は、この検索によって特定された猫のうちの一匹に関する詳細情報を示すスクリーンショットである。本図に示すように、ブリーダーの名前、猫舎、電話番号、電子メールアドレス、猫の名称、及びＤＮＡ証明が表示される。
【００６４】
猫は、フィーラインファインダに包含されるために、ＤＮＡ  ＩＤ検査を受け、固有のＤＮＡ  ＩＤ番号の割り当てを受ける。フィーラインファインダへの包含はオプションであり、各猫に関する情報はその猫のＤＮＡ記録管理者独自の裁量によって表示される。
【００６５】
血統分析．
血統の確認、不確認又は除外は、父畜及び母畜のＤＮＡ  ＩＤマーカを子猫のそれと比較することによって行うことができる。これらのマーカは対で遺伝するので、各子猫について、一方のマーカは父畜から到来し、もう一方のマーカは母畜から到来しているはずである。父畜及び母畜のすべてのマーカが子猫のものに一致する場合は、血統が「確認」されたものとみなされる。一方のマーカが不一致である場合、血統は「不確認」であるとみなされ、その猫に関してはさらなる分析が必要である可能性がある。２つ以上のマーカが不一致であれば、血統は「除外」されるものとみなされる。ＣａｔＢａｎｋの血統分析サービスは、１匹の父畜、１匹の母畜及び最大で７匹までの子猫に関する血統を同時に確定する。図１２は、血統分析証明書のスクリーンショットを示す。本図に示すように、血統を示すために、母畜、父畜及び子猫の遺伝子型パネルが表示される。
【００６６】
ブリーダーは、その飼育しているすべての猫にＤＮＡ  ＩＤ検査を行って、血統分析に子孫を包含し得ることを確実にするように推奨される。すべての猫のＤＮＡ  ＩＤマーカはデータベースに保存されるので、ＣａｔＢａｎｋの血統分析サービスはブリーダーがこのサービスを利用する柔軟な方法を提供する。
【００６７】
オプション１：ブリーダーは、ＤＮＡ  ＩＤ証明書及び血統分析証明書を子猫の購入者へ提供することができる。このオプションは、ブリーダーが子猫毎のＤＮＡ  ＩＤ検査と、同腹子全体への血統分析サービスとを購入することを要求する。
【００６８】
オプション２：ブリーダーは、父畜及び母畜のＤＮＡ  ＩＤ証明書のコピーを子猫の購入者へＣａｔＢａｎｋ上で電子的に転送することができる。このオプションは、子猫の購入者がＤＮＡ  ＩＤ検査と血統分析とを独立して購入することを可能にする。
【００６９】
遺伝病検査．
猫のブリーダーは、疾病の原因となる特有の遺伝的変異を識別するＤＮＡ検査を利用可能にされる。これらの検査は、動物の遺伝子型状態を識別し、育種プログラムから遺伝病を減らすことができる。ブリーダーが早期に同腹子を検査する場合は、正常な子猫を産む遺伝的に正常な両親のみを交配させることを最終的な目的として、どの子猫が繁殖用候補であり、どの子猫を非繁殖用の状況に置くかを決定することが可能である。ＤＮＡ検査は高精度である上に低価格であるので、ブリーダーにとっての費用／便益比率は明らかである。
【００７０】
ＣａｔＢａｎｋは、猫ＰＫＤ検査を提供する。多発性嚢胞腎は、ゆっくりと発現し、腎臓を拡張し、腎臓機能を低下させ、最終的に臓器不全をもたらす進行性疾患である。多発性嚢胞腎は、ＤＮＡ検査を通じて容易に識別される既知の遺伝的変異によって発症する。
【００７１】
血統分析と共に使用されるＰＫＤ検査は、父畜及び母畜が検査を受けて陰性であることが分かっている場合に、第一世代の子猫たちについて明らかにするために使用される。ＰＫＤ検査は、ペルシャ、エキゾチック、ヒマラヤン、及びペルシャ異系交配種に利用可能である。このサービスを発注するために、猫はＤＮＡ  ＩＤ検査を受ける。又は、本サービスはＰＫＤとＤＮＡ  ＩＤとの一括で発注される。図１３は、遺伝病検査証明書のスクリーンショットを示す。本図に示すように、猫の画像、所有者名、猫の名称、猫の品種、猫の性別、猫の毛色、猫の出生日、入れ墨フィールド、マイクロチップフィールド、登録認定（Registry Affiliation）、ＤＮＡ  ＩＤ、ＰＫＤキャリア状態、及びＤＮＡ検査日が表示される。
【００７２】
ＤＮＡ保存．
ＤＮＡ保存は、ブリーダーに、特異な猫の遺伝的形質を様々な用途用に貯蔵する機会を提供する。ＤＮＡ保存は、下記のような利点、すなわち、
特異な、又は珍しい遺伝的特性の保存、
価値のあるＤＮＡの永久的リソース、及び非限定的供給、
クローニングによって特異な猫の遺伝的形質を繁殖プログラムに再導入すること等の、将来の交配オプションの拡大、
遺伝的強化及び再生治療における使用の可能性、
特異な猫のＤＮＡを販売し、かつ上記ＤＮＡから収益を得る可能性、
を含む。
【００７３】
図１４は、ＤＮＡ保存証明書のスクリーンショットを示す。本図に示すように、所有者名、猫の名称、猫の品種、猫の性別、猫の毛色、猫の出生日、入れ墨フィールド、マイクロチップフィールド、登録認定、ＤＮＡ  ＩＤ、低温保存日、ＤＮＡ量（２つの冷凍された新鮮な組織）、及びサービスレベルが表示される。
【００７４】
ＤＮＡの収集、貯蔵及び使用は、以下の表のように、それがＤＮＡ保存のために行われるか、ＤＮＡ検査のために行われるかに依存して変わる。
【００７５】
【表１】
2009518712.tif 000003
【００７６】
ブリードリーダー．
ブリードリーダー（BreedReader：品種の読み取りのための手段）は、猫のブリーダー及び所有者が品種の照合又は識別を行ったり、又は個々の猫に存在する品種の組合せの照合又は識別を行ったりすることを可能にする。ブリードリーダーを発注するために、猫の所有者は猫の口の内側をスワブによりぬぐって細胞を採取し、その細胞をＦＴＡカードへ転写し、カードをＤＮＡ分析用にバイオアーツへ送る。ＤＮＡ分析の後、猫の所有者は、詳細な猫品種プロファイルレポートを利用できる。図１５は、出荷キット及びバッチ処理を含むＣａｔＢａｎｋバックエンド販売プロセスのステップを示す。図１６は、ＦＴＡキットの受領及びＤＮＡ  ＩＤ検査サンプルのプロセスを含むＣａｔＢａｎｋバックエンドラボラトリプロセスのステップを示す。図１７は、血統分析サンプル処理及びＰＫＤ検査サンプル処理を含むＣａｔＢａｎｋバックエンドラボラトリプロセスのステップを示す。
【００７７】
従って、本発明は本明細書で説明した特定の実施形態に限定されるものとして捉えられるべきではなく、本発明が動物の遺伝的形質の市場一般に関して広範な適用可能性を有することは理解されるべきである。従って、添付の特許請求の範囲内にあるすべての修正、変形又は同等な構成及び実装は、本発明の範囲内にあるものとされるべきである。
【図面の簡単な説明】
【００７８】
【図１】計算装置を示す図である。
【図２】通信ネットワークを示す図である。
【図３】「コンパスローズ猫舎」が提供するページのスクリーンショットである。
【図４】「フィーラインファインダ」ディスプレイウィンドウのスクリーンショットである。
【図５】「フィーラインファインダ」のデータ入力と、これに続くデータベース検索結果のスクリーンショットである。
【図６】上記検索結果で特定された動物の詳細を示すページのスクリーンショットである。
【図７】ＤＮＡ識別情報証明書のスクリーンショットである。
【図８】ブリーダーがその猫をフィーラインファインダに「利用可能」としてリスト表示し、クライアントとして見込まれる者に電子メールを送り、購入者へその猫のＤＮＡ  ＩＤ記録のコピーを転送することを可能にするコントロールパネルのスクリーンショットである。
【図９】検索ダイアログのスクリーンショットである。
【図１０】検索結果のスクリーンショットである。
【図１１】検索結果の詳細を示すスクリーンショットである。
【図１２】血統分析証明書のスクリーンショットである。
【図１３】遺伝病検査証明書のスクリーンショットである。
【図１４】ＤＮＡ保存証明書のスクリーンショットである。
【図１５】出荷キット及びバッチ処理を含むバックエンド販売プロセスのステップを示す図である。
【図１６】ＦＴＡキットの受領及びＤＮＡ  ＩＤ検査サンプルのプロセスを含むバックエンドラボラトリプロセスのステップを示す図である。
【図１７】血統分析サンプル処理及びＰＫＤ検査のサンプル処理を含むバックエンドラボラトリプロセスのステップを示す図である。
【図１】
2009518712.tif 000004
【図２】
2009518712.tif 000005
【図３】
2009518712.tif 000006
【図４】
2009518712.tif 000007
【図５】
2009518712.tif 000008
【図６】
2009518712.tif 000009
【図７】
2009518712.tif 000010
【図８】
2009518712.tif 000011
【図９】
2009518712.tif 000012
【図１０】
2009518712.tif 000013
【図１１】
2009518712.tif 000014
【図１２】
2009518712.tif 000015
【図１３】
2009518712.tif 000016
【図１４】
2009518712.tif 000017
【図１５】
2009518712.tif 000018
【図１６】
2009518712.tif 000019
【図１７】
2009518712.tif 000020